(57)【要約】髪の毛に毛髪染料を付ける装置および方法である。装置は、筐体と、毛髪染料用のリザーバ（２）と、毛髪染料を通すための少なくとも１つの開口（７）と、毛髪染料用の少なくとも１つの開口を介してリザーバから髪の毛に毛髪染料を運ぶ手段とを有し、毛髪染料用の少なくとも１つの開口を通る前に、毛髪染料を加熱する第１の加熱手段（１０）が設けられる。方法は、髪の毛への塗布の前に、毛髪染料を加熱する段階を含む。
2005506142.tif 000002
【特許請求の範囲】
【請求項１】
筐体と、毛髪染料用のリザーバと、前記毛髪染料を通すための少なくとも１つの開口と、前記毛髪染料用の前記少なくとも１つの開口を介して前記リザーバから髪の毛に前記毛髪染料を動かす手段と、を有する、髪の毛に毛髪染料を付ける装置であって、
前記毛髪染料が、前記毛髪染料用の前記少なくとも１つの開口を通る前に、前記毛髪染料を加熱する第１の加熱手段を有することを特徴とする装置。
【請求項２】
前記第１の加熱手段は、前記リザーバの外周の少なくとも一部に沿って配置されることを特徴とする請求項１記載の装置。
【請求項３】
前記第１の加熱手段は、前記リザーバ内にある少なくとも１つの電気的加熱素子を有することを特徴とする請求項１又は２記載の装置。
【請求項４】
前記第１の加熱手段は、空気加熱手段を有し、
前記装置は、加熱された空気と前記リザーバ内の前記毛髪染料との間の熱交換を行うよう前記リザーバを過ぎるよう加熱された空気を動かす空気移動手段を有することを特徴とする請求項１乃至３のうちいずれか一項記載の装置。
【請求項５】
前記毛髪染料用の前記少なくとも１つの開口を通る後に、前記毛髪染料を加熱する第２の加熱手段を有することを特徴とする請求項１乃至４のうちいずれか一項記載の装置。
【請求項６】
前記第１の加熱手段と前記第２の加熱手段は、少なくとも部分的に１つのユニットとして構成され、
前記加熱された空気を髪の毛に向けるための少なくとも１つの開口が設けられることを特徴とする請求項４及び５記載の装置。
【請求項７】
前記少なくとも１つの空気開口、又は、前記毛髪染料用の前記少なくとも１つの開口は、前記少なくとも１つの空気開口、又は、前記毛髪染料用の前記少なくとも１つの開口のうちのもう一方を取り囲むことを特徴とする請求項６記載の装置。
【請求項８】
前記第２の加熱手段は、赤外線加熱源を有することを特徴とする請求項５乃至７のうちいずれか一項記載の装置。
【請求項９】
前記第２の加熱手段は、蒸気発生手段を有することを特徴とする請求項５乃至８のうちいずれか一項記載の装置。
【請求項１０】
前記リザーバは、前記筐体に接続可能な使い捨てカートリッジによって形成されることを特徴とする請求項１乃至９のうちいずれか一項記載の装置。
【発明の詳細な説明】
【０００１】
本発明は、筐体と、毛髪染料用のリザーバと、毛髪染料を通すための少なくとも１つの開口と、毛髪染料のための少なくとも１つの開口を介してリザーバから髪の毛に毛髪染料を動かす手段とを有する、髪の毛に毛髪染料を付ける装置に係る。
【０００２】
上述したようなタイプの装置は、国際特許出願ＷＯ００／２７２４０Ａ１から公知である。この文書は、毛髪染料用の使い捨てカートリッジを収容可能な筐体を有する装置を開示する。このカートリッジには、一方の側に複数の開口が設けられ、これらの開口は、定間隔に配置された髪の毛の中を動かすことのできる突出部の端に位置付けられる。反対側には、使い捨てカートリッジには、装置の一部を形成する押し具素子によって開口の方向に可動であるプランジャ状素子が設けられ、それにより、カートリッジの長手方向の壁に対し防水密閉を形成する。その結果、染料は、使い捨てカートリッジ内を開口方向に動かされ、それにより、毛髪染料は、カートリッジから出て、装置のユーザの髪の毛に付けられる。このような装置は、非常に均一な方法で毛髪染料を髪の毛に付けることができ、その結果、髪の毛は、むらなく染まる。
【０００３】
本発明の方法は、染色処理を早め、それにより、ユーザの髪の毛の染色が少ない時間で行われることを可能にする冒頭段落に記載したような装置を提供することを目的とする。この目的を達成するために、本発明の装置は、毛髪染料が、毛髪染料用の少なくとも１つの開口を通る前に、毛髪染料を加熱する第１の加熱手段を有する。髪の毛による毛髪染料の吸収率、従って、染料処理が行われる速度は、毛髪染料が、髪の毛に付けられる前に加熱されると相当に早まることが、実験によって示された。毛髪染料が、髪の毛に付けられるときに、３５℃の温度を有すると、吸収率は、毛髪染料が予め加熱されない状況よりも相当に高いことが分かった。
【０００４】
第１の加熱手段が、リザーバの外周の少なくとも一部に沿って配置されると、本発明の装置の構造的に単純な実施例を得ることができる。この場合、第１の加熱手段と毛髪染料との間の熱伝達は、リザーバの壁を介する熱伝導により行われることが可能である。前出の国際特許出願ＷＯ００／２７２４０Ａ１に開示される実施例では、開口から離れたプランジャ状素子の側部に、加熱素子があると考えることができ、その結果、プランジャ状素子は加熱され、そして、カートリッジ内の毛髪染料が加熱される。
【０００５】
或いは、第１の加熱手段は、リザーバ内にある少なくとも１つの電気的加熱素子を有し得る。これは、非常に効率のよい加熱処理を可能にする。何故なら、その少なくとも１つの加熱素子から放出される全ての熱は、その直接的な周囲、ここでは、毛髪染料に、与えられるからである。
【０００６】
第１の加熱手段が、空気加熱手段を有し、装置は、加熱された空気とリザーバ内の毛髪染料との間の熱交換を行うようリザーバを過ぎるよう加熱された空気を動かす空気移動手段を有すると、もう１つの実施例の可能性が得られる。このような実施例の利点は、例えば、白熱フィラメント、又は、その内容物は触媒燃焼に適したガスカートリッジである熱源が、リザーバのすぐ近くに位置付けられる必要がないという点である。
【０００７】
毛髪染色処理をより早くするために、非常に有利な本発明の装置の実施例は、毛髪染料用の少なくとも１つの開口を通る後に、毛髪染料を加熱する第２の加熱手段を有する。この第２の加熱手段は、最大限染色処理を早くするための最適温度を維持することを可能にし、毛髪染料は、髪の毛に付けられた後すぐに冷却されない。
【０００８】
第１の加熱手段が、空気加熱手段を有し、装置が、空気移動手段を有すると、第１の加熱手段及び第２の加熱手段が、少なくとも部分的に１つのユニットとして構成され、加熱された空気を髪の毛に向けるための少なくとも１つの開口が設けられると、非常に有利な本発明の装置の実施例が得られる。そのような装置では、加熱された空気は、毛髪染料を加熱する、又は、毛髪染料が髪の毛に付けられる前にその温度に維持し、且つ、毛髪染料が髪の毛に付けられた後に正しい温度に維持するよう作用する。
【０００９】
少なくとも１つの空気開口、又は、毛髪染料用の少なくとも１つの開口が、少なくとも１つの空気開口、又は、毛髪染料用の少なくとも１つの開口のうちのもう一方を取り囲むと、エネルギー的な観点から非常に有利な実施例が得られる。この構成によって、毛髪染料の加熱は、毛髪染料用の開口を毛髪染料が出る瞬間の前まで行われ、その後も行われる。
【００１０】
或いは、第２の加熱手段は、例えば、赤外線加熱源、及び／又は、蒸気発生手段を有し得る。これは、染色処理の質を更に改善し得る。
【００１１】
もう１つの有利な実施例によると、リザーバは、筐体に接続可能な使い捨てカートリッジによって形成され、従って、ユーザは、毛髪染料をリザーバに充填する時間のかかる必要がなくなり、また、毛髪染料が偶然飛び散ることからも解放される。使い捨てカートリッジには、電気接触端子が設けられることが考えられ、この電気接触端子を介して電力が、使い捨てカートリッジ内にある電気加熱素子に供給される。
【００１２】
本発明は更に、毛髪染料を、髪の毛に付ける方法に係る。本発明の方法の目的は、上述した本発明の装置の目的、即ち、染色処理を早めることと一致する。この目的を達成するために、本発明の方法は、毛髪染料が、その塗布の前に加熱されることを特徴とする。
【００１３】
一方で、安全性と快適さの観点から、他方で、髪の毛による毛髪染料の可能な限り最速の吸収を達成する希望から、髪の毛に付けられる前の毛髪染料の最適な温度は、２５℃乃至４５℃である。
【００１４】
本発明は、本発明の装置の好適な実施例の説明によってより詳細に説明する。本発明の装置は、本発明の方法を実施するのにも適している。
【００１５】
使い捨て可能なリザーバ２の内部１には、液体の毛髪染料３がある。使い捨てリザーバ２は、円筒壁４によって側面が形成される。中空の外側に延出する歯６は、使い捨てリザーバ２の底面５に形成され、歯の端には、通路７がある。この通路７を介して、液体の毛髪染料３を、人の髪の毛に付けることが可能である。このために、使い捨てリザーバ２は、外力によって矢印９に示す方向に可動であるプランジャカバー８を有する。この動作の間、少なくとも液体の毛髪染料３に対する、プランジャカバー８の縁と円筒壁４の内壁との間の密閉が維持される。上述したモデルの具体的な実施例は、国際特許出願ＷＯ００／２７２４０Ａ１に記載される。使い捨てリザーバ２は、自分の髪の毛に毛髪染料を付けることができるようになる装置の筐体（図示せず）内に収容される。この装置は、他の部品も有するが、プランジャカバー８を矢印９の方向に動かす手段を有する。使い捨てリザーバ２の内部１には、その内部に電流が流されるとその周りに熱を放出することのできる電気抵抗ワイヤ１０があり、従って、液体の毛髪染料３が加熱される。２つの電気接触端子１１ａ、１１ｂが、円筒壁４の外側で電気抵抗ワイヤ１０の各端にあり、これらの接触端子は、使い捨てリザーバ２の一部を形成する。使い捨てリザーバ２が、装置の筐体内に正しく位置付けられると、電気接触端子１１ａ、１１ｂは、それぞれ、装置の一部を形成し、また、好適な電源に接続可能な電気接触端子１２ａ、１２ｂと通電する。従って、使い捨てリザーバ２の内部にある毛髪染料３は、電気抵抗ワイヤ１０によって、例えば、３５℃の温度に加熱されることが可能である。プランジャカバー８を下方向に動かすことによって、予熱された毛髪染料３が、通路７を介して、髪の毛に付けられることが可能となる。
【００１６】
電気抵抗ワイヤ１０の使用の代わりに、又は、電気抵抗ワイヤ１０の使用と組合わせて、正の温度係数を有する電気抵抗素子が用いられる好適な電気抵抗型加熱素子１３が、プランジャカバー８の上に設けられ得る。この加熱素子１３は、装置の一部を形成することが好適である。図示する状況では、共通の押し下げ板１４が設けられ、この押し下げ板の底面に加熱素子１３が接続される。押し下げ板によって、加熱素子１３とプランジャカバー８が押し下げられる。加熱素子１３によって放出される熱は、最初に、プランジャカバー８を加熱し、その結果、使い捨てリザーバ２の内部１にある液体の毛髪染料３が加熱される。
【００１７】
選択的に、ノズル１５が使い捨てリザーバ２の下側にあり、このノズルは、各歯６の間に配置される円錐口を有し、円錐口の端には、それぞれ出口開口１７がある。ノズル１５は、装置の筐体の一部を形成する。使い捨てリザーバ２とノズル１５は、歯６が、関連付けられる口１６内で中心から延在するよう互いに対し配置される。ノズル１５の内部１８は、ファン２０と、ファン２０の下流にあるスパイラルフィラメント２１がある空気線１９に接続する。ファン２０は、装置の外側から空気を引き込み、その空気を、スパイラルフィラメント２１を介してノズル１５に向けて動かす。空気は、スパイラルフィラメントによって加熱され、流出開口１７を介してノズル１５から出る。加熱された空気は、そのときまでに歯６内の液体の毛髪染料３が正しい温度に加熱される、又は、その温度に維持されることを確実にする。抵抗ワイヤ１０又は加熱素子１３といった追加の加熱素子が用いられる場合、このことは厳密に必要ではない。これに加え、加熱された空気は、髪の毛に吹き付けられ、その結果、液体の毛髪染料３は、髪の毛に付けられた後も加熱されたままとなり、それにより、髪の毛の染色する処理が、早められた速度で行われることが可能である。これに加え、加熱された空気は、使い捨てリザーバ２の内部１にある液体の毛髪染料３を加熱する、又は、加熱を助ける。
【図面の簡単な説明】
【００１８】
【図１】本発明の好適な実施例のモデルを示す図である。
【国際公開パンフレット】
2005506142.tif 000003
2005506142.tif 000004
2005506142.tif 000005
2005506142.tif 000006
2005506142.tif 000007
2005506142.tif 000008
2005506142.tif 000009
2005506142.tif 000010
2005506142.tif 000011
【国際調査報告】
2005506142.tif 000012
2005506142.tif 000013
2005506142.tif 000014